(57)【要約】【課題】シンクの排水部に付着した汚れを容易に除去可能とするシンクの排水部の洗浄装置を提供する。【解決手段】シンク底面１ａに開口した排水口２０内に網かご２１及び排水トラップ２２を設けたシンク１の排水部２の洗浄装置である。下流端が排水部２に連通する給水路３を設け、該給水路３を開閉する給水弁３０を設けた。排水部２の下流側の排水管４を開閉する排水弁４０を設けた。排水部２の内壁に超音波発振器５を設けた。使用者による操作部６の入操作によって排水弁４０を閉じると共に給水弁３０を開いて排水部２内に水を注入し、前記水に超音波発振器５により超音波を発振して排水部２を超音波洗浄し、所定時間経過後に超音波の発振を停止して排水弁４０を開く制御部７を設けた。【選択図】        図１
2004324108.tif 000002
【特許請求の範囲】
【請求項１】
シンク底面に開口した排水口内に網かご及び排水トラップを設けたシンクの排水部の洗浄装置であって、下流端が排水部に連通する給水路を設けると共に該給水路を開閉する給水弁を設け、排水部の下流側の排水管を開閉する排水弁を設けると共に排水部の内壁に超音波発振器を設け、使用者による操作部の入操作によって排水弁を閉じると共に給水弁を開いて排水部内に水を注入し、前記水に超音波発振器により超音波を発振して排水部を超音波洗浄し、所定時間経過後に超音波の発振を停止して排水弁を開く制御部を設けて成ることを特徴とするシンクの排水部の洗浄装置。
【請求項２】
排水部内の水位を検知する水位検知手段を設け、使用者による操作部の入操作によって排水部内に注入された水が前記水位検知手段によって所定の水位であると検知された時に給水弁を閉じる制御部を設けて成ることを特徴とする請求項１記載のシンクの排水部の洗浄装置。
【請求項３】
排水部内の水位を検知する水位検知手段を設け、使用者による操作部の入操作によって排水部内に注入された水が前記水位検知手段によって所定の水位であると検知された時に排水弁を開く制御部を設けて成ることを特徴とする請求項１又は２記載のシンクの排水部の洗浄装置。
【発明の詳細な説明】
【０００１】
【発明の属する技術分野】
本発明は、シンク底面に開口した排水口内に網かご及び排水トラップを設けたシンクの排水部を超音波で洗浄する洗浄装置に関するものである。
【０００２】
【従来の技術】
従来より、シンク底面には排水口が開口してあり、この排水口内に網かごとその下方に排水トラップを設けて排水部が形成してある。このようなシンクにおいては、排水部の汚れ、即ち、排水部の内壁及び網かごに付着した汚れを除去し難いという問題があった。
【０００３】
ところで、シンクに超音波発振源を設けた超音波式のシンク洗浄装置が知られている（例えば特許文献１，特許文献２，特許文献３参照）。これは、シンク内に溜まった水に超音波を発振する超音波発振源をシンク内壁に設け、前記水に浸漬された食器に付着している汚れを超音波によって落とすものである。
【０００４】
このような超音波発振源を設けたシンクにおいては、シンク内の水に浸漬された食器の汚れを落とすことは出来るものの、シンクの排水部の内壁や網かごの汚れを汚れは超音波によって落とされず、たわし等によって手で擦り落とす必要のあるものであり、依然として汚れを除去し難いものであった。
【０００５】
【特許文献１】
特開平１１−２７６４０３号公報
【特許文献２】
実開平７−１００６９号公報
【特許文献３】
特開昭６３−２３６１５号公報
【０００６】
【発明が解決しようとする課題】
本発明は上記の点に鑑みて発明したものであって、その目的とするところは、シンクの排水部に付着した汚れを容易に除去可能とするシンクの排水部の洗浄装置を提供することを課題とするものである。
【０００７】
【課題を解決するための手段】
上記課題を解決するために本発明のシンクの排水部の洗浄装置にあっては、シンク底面１ａに開口した排水口２０内に網かご２１及び排水トラップ２２を設けたシンク１の排水部２の洗浄装置であって、下流端が排水部２に連通する給水路３を設けると共に該給水路３を開閉する給水弁３０を設け、排水部２の下流側の排水管４を開閉する排水弁４０を設けると共に排水部２の内壁に超音波発振器５を設け、使用者による操作部６の入操作によって排水弁４０を閉じると共に給水弁３０を開いて排水部２内に水を注入し、前記水に超音波発振器５により超音波を発振して排水部２を超音波洗浄し、所定時間経過後に超音波の発振を停止して排水弁４０を開く制御部７を設けて成ることを特徴とするものである。このような構成とすることで、排水部２内の汚れを超音波によって落とすことができて、たわし等によって手で擦り落とす必要がなく、たわし等の届かない部分の汚れも落とすことが可能となり、また、これらの動作を制御部７によって自動で行うことが可能となる。
【０００８】
また、排水部２内の水位を検知する水位検知手段８を設け、使用者による操作部６の入操作によって排水部２内に注入された水が前記水位検知手段８によって所定の水位であると検知された時に給水弁３０を閉じる制御部７を設けることが好ましい。このような構成とすることで、超音波洗浄に係る一連の動作を制御部７によって全て自動で行うことが可能となる。
【０００９】
また、排水部２内の水位を検知する水位検知手段８を設け、使用者による操作部６の入操作によって排水部２内に注入された水が前記水位検知手段８によって所定の水位であると検知された時に排水弁４０を開く制御部７を設けることが好ましい。このような構成とすることで、シンク１内にまで溜まってしまった水を自動で排水することが可能となる。
【００１０】
【発明の実施の形態】
本発明を添付図面に示す実施形態に基づいて説明する。
【００１１】
シンク１は、図２に示すように、上方に開口して内部に水を貯留可能に形成してあり、この水に洗浄対象となる食器（特に図示せず）を浸漬する。食器は、食材を盛る器だけでなく、湯のみやグラス、箸やスプーン、鍋やフライパン、包丁やまな板等、キッチンで料理に用いる用具等も含まれる。シンクの内部に水を注ぎ込むための給水口１１がシンクの上方に設けてある。
【００１２】
図１に示すように、シンク１の底面１ａには、シンク１内部の水を排水するための排水口２０が形成してある。排水口２０内には、網かご２１を配設すると共にその更に下流側に排水トラップ２２を設けて排水部２が形成してある。排水トラップ２２の下流端には排水管４が接続してあり、排水管４は下水管（図示せず）へと通じている。そして、本発明においては、このような排水部２を超音波にて洗浄するもので、以下に説明する。
【００１３】
シンク１の排水部２には、上述した給水口１１とは別経路となる給水路３を接続するものである。本実施形態では、排水部２の網かご２１が配設される部分（以下、網かご収容部２３とする）の上端部の内壁に給水路３の下流端を接続してあり、更にこの給水路３はシンク１の側方においてシンク１より上方に伸びる縦管部３１を有すると共に、縦管部３１の上端部から側方に伸びる横管部３２を有している。この給水路３は、その上流端が上水道（図示せず）に接続してあり、また、横管部３２に給水弁３０としての電磁弁を設けてあり、給水路３から排水部２へ水を自在に供給することができる。また、給水路３の横管部３２には逆止弁３３が設けてあると共に、縦管部３１には水位検知手段８が設けてある。
【００１４】
水位検知手段８は、排水部２又は給水路３に設けて水位が所定位置にまで上昇すると検知・作動するもので、本実施形態では、縦管部３１の上記シンク１の排水口２０とほぼ同じか若干下位のレベルに排水部２の満水を検知する水位センサーを設けると共に、縦管部３１の前記満水を検知する水位センサーよりも上方に、排水部２からシンク１内の所定高さまで上昇した水位を検知する水位センサーを設けて構成してあり、これらについては後述する。
【００１５】
排水部２より下流側の排水管４には、排水弁４０としての電磁バルブが設けてあり、この排水弁４０を閉じて排水部２内に水を溜めると共に、排水弁４０を開いて排水部２内に溜まった水を排水することが可能となっている。
【００１６】
そして、排水部２の内壁に超音波発振器５を設けるもので、本実施形態では網かご収容部２３の内壁に設けてある。この超音波発振器５により、排水部２内に所定量の水が溜まった時に前記水に超音波を発振して排水部に汚れを落とすものである。この超音波発振器５をはじめ、上述した給水弁３０としての電磁弁、排水弁４０としての電磁バルブ、水位検知手段８、後述する操作部６は電気回路からなる制御部７により制御されて動作するもので、その動作について以下に説明する。なお、図１中の符号７０は前記各構成要素と制御部７とを電気的に接続する電線を示す。
【００１７】
排水部２の汚れを落とそうとする際、使用者は操作部６のスイッチを入操作する。操作部６は、図１に示すように制御部７と電線７０にて接続されて制御部７に信号を送るもので、図２に示すようにシンク１の近傍に設けてある。
【００１８】
操作部６にて入操作されると、排水弁４０が閉じられると共に給水弁３０が開かれて給水路３から排水部２内に水が注入される。そして、排水部２内及びこれに連通する給水路３内の水位が排水部２の上端部近傍にまで上昇すると、給水路３の縦管部３１の水位検知手段８の水位センサーが検知・作動して給水弁３０が閉じられる。このようにして排水部２内に水が充填されると、この水に超音波発振器５にて超音波を発振し、排水部２の内壁（網かご収容部２３及び排水トラップ２２の内壁）に付着した汚れや網かご２１に付着した汚れが振動して剥がれ落ちる。そして、所定時間経過後に超音波発振器５による超音波の発振を停止し、排水弁４０が開かれて排水部２内に充填された水を排水するものである。また、前記動作を数回繰返して１セットの動作としてもよい。
【００１９】
また、排水部２内に水を充填して超音波洗浄を行っている際、何らかの原因によって、例えば給水口１１から水をシンク１内に流したりして排水部２内の水がシンク１内に溢れ、シンク１内の水位が上昇して排水部２を介してシンク１内と連通する給水路３の水位が上昇し、縦管部３１の上側の水位検知手段８の水位センサーが検知すると、排水弁４０を開いてシンク１内及び排水部２内の水を排水するようにしてもよく、この場合、シンク１内にまで溜まってしまった水を自動で排水することが可能となる。
【００２０】
なお、上述した動作は全て制御部７によって制御される。
【００２１】
このように、シンク１内に水を注ぐ給水口１１とは別経路の給水路３を設けてこの給水路３に給水弁３０を設け、排水管４に排水弁４０を設け、排水部２の内壁に超音波発振器５を設け、上述したような制御部７を設けたことで、排水部２内の汚れを超音波によって落とすことができて、従来のように汚れをたわし等によって手で擦り落とす必要がなく、たわし等の届かない部分の汚れも落とすことが可能となり、また、これらの動作を制御部７によって自動で行うことができる。
【００２２】
【発明の効果】
上述のように請求項１記載の発明にあっては、シンク底面に開口した排水口内に網かご及び排水トラップを設けたシンクの排水部の洗浄装置であって、下流端が排水部に連通する給水路を設けると共に該給水路を開閉する給水弁を設け、排水部の下流側の排水管を開閉する排水弁を設けると共に排水部の内壁に超音波発振器を設け、使用者による操作部の入操作によって排水弁を閉じると共に給水弁を開いて排水部内に水を注入し、前記水に超音波発振器により超音波を発振して排水部を超音波洗浄し、所定時間経過後に超音波の発振を停止して排水弁を開く制御部を設けたので、排水部内の汚れを超音波によって落とすことができて、たわし等によって手で擦り落とす必要がなく、たわし等の届かない部分の汚れも落とすことが可能となり、また、これらの動作を制御部によって自動で行うことが可能となる。
【００２３】
また請求項２記載の発明にあっては、請求項１記載の発明の効果に加えて、排水部内の水位を検知する水位検知手段を設け、使用者による操作部の入操作によって排水部内に注入された水が前記水位検知手段によって所定の水位であると検知された時に給水弁を閉じる制御部を設けたので、超音波洗浄に係る一連の動作を制御部によって全て自動で行うことが可能となる。
【００２４】
また請求項３記載の発明にあっては、請求項１又は２記載の発明の効果に加えて、排水部内の水位を検知する水位検知手段を設け、使用者による操作部の入操作によって排水部内に注入された水が前記水位検知手段によって所定の水位であると検知された時に排水弁を開く制御部を設けたので、シンク内にまで溜まってしまった水を自動で排水することが可能となる。
【図面の簡単な説明】
【図１】本発明の一実施形態の構成図である。
【図２】同上におけるシンクの概略全体斜視図である。
【符号の説明】
１    シンク
１ａ  シンク底面
２    排水部
２０  排水口
２１  網かご
２２  排水トラップ
３    給水路
３０  給水弁
４    排水管
４０  排水弁
５    超音波発振器
６    操作部
７    制御部
【図１】
2004324108.tif 000003
【図２】
2004324108.tif 000004